(57)【要約】      （修正有）【課題】各住戸に不意の断水や災害時の断水においても、通常使用している炊事用水栓で受水する非常用水備蓄タンクを提供する。【解決手段】タンク１の底部と上壁に、吸水管４を貫挿し管壁を穿孔した流入管３を渡設して、タンク１の上壁に戸内管路と接続する吐出バルブ６と送気弁７を設け、タンク１の底部に逆止弁２を設け、この逆止弁２より受水すると、タンク1内は流入管３の穿孔部Ｂより放水し、タンク１内を回動させ、吐出バルブ６と吸水管４接続の炊事用水栓に送水されタンク水を換水し、戸内で給水なきときは吐出バルブ６は閉栓しタンク１を密閉し断水時に備える。断水時には、送気弁７に手押しポンプまたは足踏みポンプ等の送給のみで、タンク１内の備蓄水を圧送し、通常使用の炊事用水栓で受水できる様に非常用水備蓄タンクを構成する。【選択図】図１
0003153685.tif 000002
【実用新案登録請求の範囲】
【請求項１】
断水時に備えるタンクであって、円筒タンクの上壁に送気弁と吐出バルブを設け、タンク底部と上壁の中央に流入管を渡設し、この流入管内に吸水管を貫挿し、底部の流入管に逆止弁を設け、管路の接続は、主管路をこの逆止弁と、吐出バルブは戸内の各給管路と、吸水管は炊事用水栓と、送気弁は送気ポンプとそれぞれ接続して、通常の給水は、このタンクを中継して受水し、断水時には、送気ポンプで送給するのみでこのタンク水の全てを通常使用の炊事用水栓へ圧送して受水する非常用水備蓄タンク。
【請求項２】
前記流入管は、管壁の下方を四方に上層の管壁を螺旋に穿孔して、管内に吸水管を貫挿し、通常の給水時には、流入水を吸水管とタンク内に送水し、タンク内には、螺旋の穿孔部よりタンク内壁に送水しタンク水を回動させて吐出バルブへ送水しタンク水を換水させ、断水時には、管壁の四方穿孔部よりタンク水を吸水管へ導くことを特徴とする請求項１記載の非常用水備蓄タンク。
【請求項３】
前記吐出バルブは、止水口を弾設軽止して、タンク底部と炊事用水栓との水柱高圧力で設定し、通常は戸内給水時にのみ開栓し断水時にも備えることを特徴とする請求項１または請求項２記載の非常用水備蓄タンク。
【考案の詳細な説明】
【技術分野】
【０００１】
本考案は、不意の断水や災害時の断水時に備える貯水に関するものである。
【背景技術】
【０００２】
従来、震災等でライフラインが閉ざされたとき最大に困難なことは飲料水の確保である。各自治体等での給水車等の配水は迅速であるが、老齢社会において配給水の運搬は困難であり、また配給水の受水も出来ないという現実の問題もある。
【先行技術文献】
【特許文献】
【０００３】
【特許文献１】特開    ２０００−３４５５９３号公報
【特許文献２】特開平  ２００３−２２１８４８号公報
【特許文献３】登録実用新案第  ３０３１７０１号公報
【特許文献４】登録実用新案第  ３０３７４０１号公報
【考案の概要】
【考案が解決しようとする課題】
【０００４】
上述を解決するために、通常の生活用水を宅内に蓄え断水時には、この蓄えた水を通常使用している炊事用水栓で受水する。
【課題を解決するための手段】
【０００５】
本考案は、円筒タンクの上壁に送気弁と吐出バルブを設け、タンク底部と上壁の中央に流入管を渡設し、この流入管内に吸水管を貫挿し、底部の流入管に逆止弁を設け、管路の接続は、主管路をこの逆止弁と、吐出バルブは戸内の各給管路と、吸水管は炊事用水栓と、送気弁は送気ポンプとそれぞれ接続して、通常の給水は、このタンクを中継して受水し、断水時には、送気ポンプで送給するのみでこのタンク水の全てを通常使用の炊事用水栓へ圧送して受水する。
【０００６】
また、管壁の下方を四方に上層の管壁を螺旋に穿孔して、管内に吸水管を貫挿し、通常の給水時には、流入水を吸水管とタンク内に送水し、タンク内には、螺旋の穿孔部よりタンク内壁に送水しタンク水を回動させて吐出バルブへ送水しタンク水を換水させ、断水時には、管壁の四方穿孔部よりタンク水を吸水管へ導くことを特徴とする。
【０００７】
さらに吐出バルブは、止水口を弾設軽止して、タンク底部と炊事用水栓との水柱高圧力で設定し通常は、戸内給水時にのみ開栓し断水時にも備えることを特徴とする。
【０００８】
また送気弁は、通常の給水時には送気口をゴムチューブで覆い封止し、ポンプの送給時にのみゴムチューブを肥大させてタンク内に送給する。
【０００９】
さらに、水圧の変動等でタンクの膨張を抑える処置として筒部は搾り溝を線状バンドで捲着し、底部と上壁は流入管の渡設挟着で抑制している。
【考案の効果】
【００１０】
上述の様に、本考案の非常用水備蓄タンクを住戸の流し元近辺(床下又はキッチンユニットの収納部)等に納置することで、断水時においても、家族憩いの場所となる炊事場で受水ができ、断水の復旧時も何一つ操作することもなく小人や老人でも手軽であり、このタンクの設置で近年災害時の飲料水として冷蔵庫等で備蓄保存されているペットボトル等の削減もできるので、消費電力の低減もでき、微少ではあるが二酸化炭素の削減にも貢献することができる。
【図面の簡単な説明】
【００１１】
【図１】本考案の非常用水備蓄タンクの断面図である。
【図２】本考案の非常用水備蓄タンクの斜視図と管路配管の接続図である。
【考案を実施するための最良の形態】
【００１２】
（実施例１）
備蓄タンクの構成について図１の断面図にもとづいて詳細な説明をする。円筒タンク１の腹部（筒部）に搾り溝を設け、この溝に線状バンド１２を捲着しタンク１の上壁の中央にフランジ９開口部を設け、フランジ蓋１０に吐出バルブ６と接続口８を設けた送気弁７を挟着して、タンク１底部の中央よりフランジ蓋１０に、管壁下方の挟着部と上層管壁を螺旋に穿孔Ｂした流入管３を渡設挟着して、フランジ蓋１０をナット１１で封止し、この流入管３の上端より接続口５を設けた吸水管４を管内に貫挿して流入管３の上端を封止し、タンク１底部の流入口に逆止弁２を設け、底部端部に排水バルブ１３を設けている。
【００１３】
前記図１のタンクの構成において、管路配管との接続を図２の斜視図にもとづいて説明する。給水主管Ａをタンク１底部の逆止弁２に接続し、流入管３に貫挿した吸水管４の接続口５と通常使用の炊事用水栓１５をフレキ接続管１４で接続し、送気弁の接続口８と送気ポンプ又は足踏みポンプ１７を耐圧ホース１６で接続し、吐出バルブ６は戸内の各給水栓の管路Ｃと接続する。
【００１４】
（実施例２）
前記、備蓄タンク図１の構成において通常の給水について図２の斜視図と管路図にもとづいて説明する。量水器（図示されず）を経由した主管路水をタンク１底部の逆止弁２で受水すると、流入管３と貫挿した吸水管４接続の炊事用水栓１５に送水され、タンク１内は流入管３の螺旋の穿孔部Ｂよりタンク内壁に送水され、タンク１内を回動しながら充満し、吐出バルブ６より戸内の各給水栓へ送水され、通常の生活用水の受水時に炊事用水栓１５は管路流入水が受水でき、戸内の各給水栓には、タンク水が送水されて、タンク１内は送水と回動が繰り返されてタンク水を換水させ、給水停止時には、吐出バルブ６の止水口が閉栓しタンク１を密閉する。（吐出バルブ６の設定は、タンク１底部と炊事用水栓１５との水柱高圧力以上で設定する）。
【００１５】
つぎに、断水時の受水について前記図２の斜視図と管路図にもとづいて説明する。通常生活時の給水が無い時は、逆止弁２と吐出バルブ６が閉じてタンク１を密閉しているので断水時には、充満しているタンク１内に手押しポンプ１７または足踏みポンプ等で、送気弁７に送給するのみでタンク水を流入管３の穿孔部Ｂより吸水管４に導き、炊事用水栓１５で送気量の受水ができ、さらに送給することでタンク水のすべてを受水することもできる。
【００１６】
つぎに、断水復旧時の処置について説明する。短期断水の復旧には、住戸内の給水栓を開放して放流しタンク１内を換水し、長期断水の復旧時には、錆等の混入で換水ができない時は、タンク排水バルブより排水する。（タンク１上壁のフランジ蓋１０を開放して洗浄することもできる）。
【符号の説明】
【００１７】
１  備蓄タンク
２  逆止弁
３  流入管
４  吸水管
５  吸水管接続口
６  吐出バルブ
７  送気弁
８  送気弁接続口
９  フランジ開口部
１０  フランジ蓋
１１  フランジ封止ナット  
１２  線状捲着バンド
１３  タンク排水バルブ
１４  フレキ接続管
１５  炊事用水栓
１６  耐圧ホース
１７  送気ポンプ
Ａ  給水主管
Ｂ  流入管穿孔部
Ｃ  戸内送水管
【図１】
0003153685.tif 000003
【図２】
0003153685.tif 000004